(57)【特許請求の範囲】
【請求項１】
光透過性を有する筐体と、
指向性を有する複数の光源によって面状に形成され，前記筐体の側方へ光を放射可能に前記筐体内の周方向及び長手方向に配置される複数の発光部と、
を備え、
前記面状に形成される複数の発光部は、
前記筐体の周方向及び長手方向のいずれの方向についても一の発光部と他の発光部が同一平面上に配置されることがなく，かつ，前記筐体の周方向に対してｎ個（ｎ≧２）配置されるとともに，前記筐体の長手方向に対して少なくとも２段に配置され、
前記光源の指向角度は３６０／ｎ［°］よりも小さいことを特徴とする水中集魚灯。
【請求項２】
前記光源は、
前記筐体の端部側に配置される端部側光源と、
この端部側光源よりも指向角度が大きく，前記筐体の中央部に配置される中央側光源の２種類からなることを特徴とする請求項１に記載の水中集魚灯。
【請求項３】
前記端部側光源は、前記中央側光源よりも前記光源の配置密度が高いことを特徴とする請求項２に記載の水中集魚灯。
【請求項４】
指向性を有する複数の光源によって面状に形成され、前記筐体の下方へ光を照射可能に前記筐体の下端に設置される下端発光部を備えたことを特徴とする請求項１乃至請求項３のいずれか１項に記載の水中集魚灯。
【請求項５】
前記下端発光部は、
前記筐体の中心に設置される下端中心光源と、
この下端中心光源の周囲に設置される下端周囲光源からなり、
前記下端中心光源と前記下端周囲光源は指向角度が異なることを特徴とする請求項４に記載の水中集魚灯。
【発明の詳細な説明】
【技術分野】
【０００１】
本発明は、魚の走光性（光による刺激を受けて行動する性質）を利用した漁法において水中を照明するために用いられる水中集魚灯に係り、特に、発光部を水中に沈めて使用する水中集魚灯に関する。
【背景技術】
【０００２】
水中を照明して走光性を有する魚類を誘導し、漁獲する方法が知られている。中でも、白熱灯や水銀灯等を用いて船上から光を照射する方法は、構造が簡単であり、安価に実施できることから、従来、多用されてきた、しかしながら、船上から光を照射した場合、水面で光が散乱してしまい、水中が十分に照明されないおそれがある。そこで、近年、発光部を水中に沈めて使用する水中集魚灯が注目されている。  
【０００３】
例えば、特許文献１には、「水中集魚灯」という名称で、指向性を有する光源を用いて、照度の異なる領域を水中に作出することにより、魚類等の蝟集性と滞留性を高めることができる水中集魚灯に関する発明が開示されている。
特許文献１に開示された発明は、指向性を備え，面状に配置されるｎ個（ｎ≧３）の光源部によって形成される発光部が、光透過性を有する筐体内に設置された構造であり、ｎ個の発光部のうちの少なくとも２個の発光部は同一平面上に配置されず、かつ、任意の２個の発光部から互いに干渉しないように光が放射され、この光によって筐体の周囲にｎ対（≧３）の光の濃淡部が形成されるものである。
このような構造の水中集魚灯においては、筐体の周囲に形成された光の濃部領域にプランクトン等の餌料生物及びそれに群がる小型魚類が引き寄せられるとともに、この小型魚類を捕食するために、大型の魚類等が光の淡部領域に隠れるべく、集まってくる。すなわち、本発明の水中集魚灯によれば、大小の魚類を筐体の周囲に効率よく集めることができる。
【０００４】
特許文献２には、「漁獲方法及び集魚装置」という名称で、海面や海中に光を照射することによって、走光性を有する魚類を漁獲する方法に関する発明が開示されている。
特許文献２に開示された発明は、光ファイバーを備えた光照射手段を用いて海面を照射し、あるいはその光照射手段を海中に垂れ下げて海中を照射することによって、海面や海中に光照射域と非照射域を形成し、非照射域と光照射域との境界近傍の非照射域側に釣漁手段を下ろして釣漁をすることを特徴とする。
このような方法によれば、例えば、イカ類が光照射域では興奮して釣り針の餌に反応し難い場合でも、非照射領域ではその興奮が収まるため、イカ類を釣り上げることができる。
【先行技術文献】
【特許文献】
【０００５】
【特許文献１】特許第４２８８２９４号公報
【特許文献２】特開２００６−１４９２４１号公報
【発明の概要】
【発明が解決しようとする課題】
【０００６】
上述の従来技術である特許文献１に開示された発明においては、水中集魚灯を点灯させ、筐体の長手方向が水深方向に一致するように水中に沈めた場合に、水平方向に対しては光の濃淡部を規則的に形成できるものの、水中集魚灯の近くや水深方向に対しては光の濃淡部を規則的に形成できないという課題があった。
【０００７】
また、特許文献２に開示された発明では、海中において水深方向に対して光照射域と非照射域を形成することができないという課題があった。また、水平方向や水深方向に対して光照射域と非照射域を規則的、かつ容易に形成することができないという課題があった。
【０００８】
本発明はかかる従来の事情に対処してなされたものであり、水深方向や水平方向に対して光の濃淡部を規則的、かつ容易に形成し、魚類の蝟集性や滞留性を高めて漁獲量や釣果を向上させることが可能な水中集魚灯を提供することを目的とする。
【課題を解決するための手段】
【０００９】
上記目的を達成するため、請求項１記載の発明である水中集魚灯は、光透過性を有する筐体と、指向性を有する複数の光源によって面状に形成され，筐体の側方へ光を放射可能に筐体内の周方向及び長手方向に配置される複数の発光部と、を備え、面状に形成される複数の発光部は、筐体の周方向及び長手方向のいずれの方向についても一の発光部と他の発光部が同一平面上に配置されることがなく，かつ，筐体の周方向に対してｎ個（ｎ≧２）配置されるとともに，筐体の長手方向に対して少なくとも２段に配置され、光源の指向角度は３６０／ｎ［°］よりも小さいことを特徴とするものである。
このような構造の水中集魚灯においては、筐体の周方向に対して設置されるｎ個の発光部のうち、任意の２個の発光部から放射される光は互いに干渉されることなく、筐体の周方向にｎ対の光の濃淡部を形成するという作用を有する。また、筐体の長手方向に対して少なくとも２段に配置される発光部によってそれぞれ「光の濃淡部」が形成される。そして、これらの領域は、水深方向に見た場合に、一方の「光の濃部」に対して他方の「光の淡部」が重なるように形成される。
【００１０】
また、請求項２に記載の発明は、請求項１に記載の水中集魚灯において、光源は、筐体の端部側に配置される端部側光源と、この端部側光源よりも指向角度が大きく，筐体の中央部に配置される中央側光源の２種類からなるものである。なお、本願明細書において、端部側光源が配置される「端部」には端部近傍も含まれ、中央側光源が配置される「中央部」には中央部近傍も含まれるものとする。
このような構造の水中集魚灯では、請求項１に記載の発明の作用に加えて、端部側光源が筐体の端部から光を遠方へ照射するとともに、中央側光源が筐体の中央部から光をその近辺へ照射するという作用を有する。また、端部側光源に中央側光源よりも指向角度の小さい光源を用いることで、端部側光源によって狭い範囲に光が集中するように照射され、中央側光源によって広い範囲に光が拡散するように照射されるという作用を有する。
【００１１】
請求項３に記載の発明は、請求項２に記載の水中集魚灯において、端部側光源は、中央側光源よりも光源の配置密度が高いことを特徴とするものである。
このような構造の水中集魚灯では、請求項２に記載の発明の作用と同様に、端部側光源によって強い光が照射され、それよりも弱い光が中央側光源によって照射されるという作用を有する。
【００１２】
請求項４に記載の発明は、請求項１乃至請求項３のいずれか１項に記載の水中集魚灯において、指向性を有する複数の光源によって面状に形成され、筐体の下方へ光を照射可能に筐体の下端に設置される下端発光部を備えたことを特徴とするものである。
このような構造の水中集魚灯を点灯させるとともに、下端発光部が下方に向くように水中に沈めた場合、請求項１乃至請求項３のいずれか１項に記載の発明の作用に加えて、下端発光部によって筐体の下方へ光が照射されるという作用を有する。
【００１３】
請求項５に記載の発明は、請求項４に記載の水中集魚灯において、下端発光部は、筐体の中心に設置される下端中心光源と、この下端中心光源の周囲に設置される下端周囲光源からなり、下端中心光源と下端周囲光源は指向角度が異なることを特徴とするものである。なお、本願明細書において、下端中心光源が設置される「筐体の中心」には筐体の中心近傍も含まれるものとする。
このような構造の水中集魚灯においては、請求項４に記載の発明の作用に加えて、下端中心光源と下端周囲光源のうち、指向角度の小さい発光部から強い光が遠方へ照射されるとともに、他方の発光部から弱い光が筐体の下端の近辺に照射されるという作用を有する。
【発明の効果】
【００１４】
本発明の請求項１に記載の水中集魚灯においては、水平方向に加えて水深方向に対しても「光の濃部」と「光の淡部」が規則的に形成されることから、「光の濃部」に誘引されるという餌料生物及び小型の魚類の習性や、小型の魚類を捕食するために「光の淡部」に潜伏するという大型の魚類等の習性を利用して、筐体の周囲にまんべんなく各種の魚類等を蝟集・滞留させることができる。
【００１５】
本発明の請求項２に記載の水中集魚灯によれば、水中集魚灯の近辺にも「光の濃部」と「光の淡部」を規則的に形成することができる。従って、底生動物等の餌料生物や小型の魚類や大型の魚類等を水中集魚灯の周囲に蝟集・滞留させて、漁獲量や釣果を向上させるという請求項１に記載の発明の効果がより一層発揮される。
【００１６】
本発明の請求項３に記載の水中集魚灯では、中央側光源によって「光の濃部」と「光の淡部」を水中集魚灯の近傍に形成させることができる。従って、請求項２に記載の発明よりもさらに水中集魚灯の近くへ餌料生物や小型の魚類や大型の魚類等を蝟集・滞留させることができる。
【００１７】
本発明の請求項４に記載の水中集魚灯によれば、発光部を点灯させ、筐体の長手方向が水深方向に一致するように水中に沈めた場合、筐体の下方に対しても「光の濃部」と「光の淡部」を形成することができる。従って、水中集魚灯より下方の深い領域に対しても請求項１乃至請求項３に記載の発明と同様の効果を奏する。
【００１８】
本発明の請求項５に記載の水中集魚灯によれば、水深方向に対して「光の濃部」と「光の淡部」を規則的に形成して、請求項４に記載の発明の効果をさらに高めることができる。
【図面の簡単な説明】
【００１９】
【図１】（ａ）及び（ｂ）はそれぞれ本発明の実施の形態に係る水中集魚灯の実施例の側面図及び底面図である。
【図２】（ａ）及び（ｂ）はそれぞれ図１（ａ）のＡ−Ａ線矢視断面図及びＢ−Ｂ線矢視断面図である。
【図３】（ａ）及び（ｂ）は本実施例の水中集魚灯の側面部の発光状態を側面から見た場合の概念図である。
【図４】本実施例の水中集魚灯の底面部の発光状態を側面から見た場合の概念図である。
【図５】（ａ）及び（ｂ）は本実施例の水中集魚灯の側面の発光状態を上面から見た場合の概念図である。
【図６】本実施例の水中集魚灯の側面の発光状態を上面から見た場合の概念図である。
【図７】（ａ）乃至（ｄ）は本実施例の水中集魚灯において端部側光源と中央側光源を点灯させるタイミングを示したタイミングチャートである。
【図８】（ａ）乃至（ｄ）は本実施例の水中集魚灯において端部側光源と中央側光源を点灯させるタイミングを示したタイミングチャートである。
【図９】（ａ）乃至（ｄ）は本実施例の水中集魚灯において端部側光源と中央側光源を点灯させるタイミングをを示したタイミングチャートである。
【図１０】（ａ）乃至（ｄ）は本実施例の水中集魚灯において端部側光源と中央側光源を点灯させるタイミングを示したタイミングチャートである。
【図１１】（ａ）乃至（ｃ）は本実施例の水中集魚灯において端部側光源と中央側光源を点灯させるタイミングを示したタイミングチャートである。
【発明を実施するための形態】
【００２０】
本発明の水中集魚灯は、その長手方向が水深方向に一致するように水中に設置されて使用されるものである。従って、以下の説明では、特に断らない限り、水中集魚灯の長手方向を水深方向と同じ意味に用いるものとする。
【実施例１】
【００２１】
本発明の実施の形態に係る水中集魚灯の実施例について図１乃至図１１を参照しながら説明する。
図１（ａ）及び図１（ｂ）はそれぞれ本実施例の水中集魚灯の側面図及び底面図である。なお、図１（ｂ）は図１（ａ）の拡大図となっている。図２（ａ）及び図２（ｂ）はそれぞれ図１（ａ）のＡ−Ａ線矢視断面及びＢ−Ｂ線矢視断面の拡大図である。
図１（ａ）及び図１（ｂ）に示すように、水中集魚灯１は、光透過性を有し，上下に筐体３ｂ及び環状体３ｃがそれぞれ取り付けられた円筒状の筐体３ａと、筐体３ａに収容される端部側光源２ａ，中央側光源２ｂ及び下端中心光源２ｃ，下端周囲光源２ｄと、図示しないバッテリから端部側光源２ａ，中央側光源２ｂ及び下端中心光源２ｃ，下端周囲光源２ｄに電力を供給するケーブル５と、端部側光源２ａ，中央側光源２ｂ及び下端中心光源２ｃ，下端周囲光源２ｄの発光状態を制御する制御部（図示せず）とを備え、端部側光源２ａ，中央側光源２ｂ及び下端中心光源２ｃ，下端周囲光源２ｄを光源として、その側方及び長手方向へ光を照射可能に構成されている。また、筐体３ａ，３ｂは、内部に水が浸入しないように連結部分等がシール材で密封された水密構造となっている。ただし、水中集魚灯１を特に水深の深い場所で使用する場合には、水密構造に加えて筐体３ａ，３ｂをさらに耐圧構造とすることが望ましい。
【００２２】
端部側光源２ａ，中央側光源２ｂは、長方形の基板４ａ，４ｂに設置される複数の砲弾型ＬＥＤ６ａ及び表面実装型ＬＥＤ６ｂによってそれぞれ面状に形成され、下端中心光源２ｃは、円形の基板４ｃの略中心に設置される表面実装型ＬＥＤ６ｂからなり、下端周囲光源２ｄは、下端中心光源２ｃの周囲に設置される複数の砲弾型ＬＥＤ６ａによって面状に形成されている。そして、砲弾型ＬＥＤ６ａ及び表面実装型ＬＥＤ６ｂは指向性を有しており、それらの指向角度はそれぞれ１５°〜３０°及び９０°〜１２０°である。また、端部側光源２ａ及び下端周囲光源２ｄを形成する砲弾型ＬＥＤ６ａは、中央側光源２ｂ及び下端中心光源２ｃを形成する表面実装型ＬＥＤ６ｂよりも密に配置されている。
なお、図１（ｂ）には下端中心光源２ｃとして１個の表面実装型ＬＥＤ６ｂが示されているが、これに限らず、下端中心光源２ｃは複数の表面実装型ＬＥＤ６ｂによって構成されていても良い。また、表面実装型ＬＥＤ６ｂの代わりに複数の砲弾型ＬＥＤ６ａを下端中心光源２ｃとして基板４ｃの略中心に設置するとともに、その周囲に複数の表面実装型ＬＥＤ６ｂを下端周囲光源２ｄとして設置することもできる。ただし、一般に表面実装型ＬＥＤ６ｂは砲弾型ＬＥＤ６ａに比べて広い設置スペースを要する。従って、基板４ｃのサイズを大きくできない場合には、本実施例に示した構成とすることが望ましい。
【００２３】
図２（ａ）及び図２（ｂ）に示すように、３枚の基板４ａ，４ｂは、その水平断面がそれぞれ正三角形をなすように筐体３ａ内に設置されている。そして、３枚の基板４ａの水平断面によって形成される正三角形は、３枚の基板４ｂの水平断面によって形成される正三角形に対して、水平面内で６０度回転させた状態となっている。すなわち、基板４ａ，４ｂ上に形成される端部側光源２ａ及び中央側光源２ｂはそれぞれ面状の発光部１３ａ，１３ｂ（図１（ａ）参照）を形成し、発光部１３ａ，１３ｂの水平断面は正三角形をなしている。そして、発光部１３ａの水平断面によって形成される正三角形は、発光部１３ｂによって形成される正三角形を水平面内で６０度回転させた状態に相当する。
一方、下端発光部１３ｃは筐体３ａの下方に対して光を照射可能に、筐体３ａの下端に設置された基板４ｃ上の下端中心光源２ｃ及び下端周囲光源２ｄによって面状に形成されている。また、基板４ａ，４ｂの裏側には筐体３ａの略中心を通るように棒状の放熱部材（図示せず）が設置されており、基板４ａ，４ｂの表側には、前述したように砲弾型ＬＥＤ６ａ及び表面実装型ＬＥＤ６ｂが設置されている。なお、放熱部材は基板４ａ〜４ｃに接触することなく、その上端のみが筐体３ｂに接触している。
【００２４】
このような構造の水中集魚灯１では、発光部１３ａ，１３ｂによって筐体３ａを中心とする３方向へ放射状に光が照射され、下端発光部１３ｃによって筐体３ａの下方へ光が照射される。そして、端部側光源２ａ，中央側光源２ｂ及び下端中心光源２ｃ，下端周囲光源２ｄにおいて発生した熱は、空気を介して放熱部材に伝わり、さらに筐体３ｂに伝わって、その表面から空気中へ拡散する。また、端部側光源２ａ及び下端周囲光源２ｄでは、複数の砲弾型ＬＥＤ６ａからそれぞれ指向角度１５°〜３０°で光が照射され、中央側光源２ｂ及び下端中心光源２ｃでは、表面実装型ＬＥＤ６ｂから指向角度９０°〜１２０°で光が照射される。すなわち、水中集魚灯１においては、端部側光源２ａ及び下端周囲光源２ｄによって光が狭い範囲に集中するように照射され、中央側光源２ｂ及び下端中心光源２ｃによって光が広い範囲に拡散するように照射されるという作用を有する。この場合、端部側光源２ａ及び下端周囲光源２ｄによって照射される光は、中央側光源２ｂ及び下端中心光源２ｃによって照射される光よりも遠方に到達する。
【００２５】
図３（ａ）及び図３（ｂ）は本実施例の水中集魚灯の側面部の発光状態を側面から見た場合の概念図であり、図４は本実施例の水中集魚灯の底面部の発光状態を側面から見た場合の概念図である。なお、図３及び図４は、砲弾型ＬＥＤ６ａ及び表面実装型ＬＥＤ６ｂの指向角度がそれぞれ１５°及び９０°の場合を示している。また、図１又は図２に示した構成要素については、同一の符号を付してその説明を省略する。
水中集魚灯１を点灯させて水中に沈めると、図３及び図４に示すように、発光部１３ａ，１３ｂ（図１（ａ）参照）により筐体３ａの側方に発光領域７ａ，７ｂ及び発光領域８ａ，８ｂがそれぞれ形成され、下端発光部１３ｃ（図１（ａ）参照）により筐体３ａの下方に発光領域９ａ，９ｂが形成される。なお、発光領域７ａ，８ａは端部側光源２ａによって形成され、発光領域９ａは下端周囲光源２ｄによって形成される。また、発光領域７ｂ，８ｂは中央側光源２ｂによって形成され、発光領域９ｂは下端中心光源２ｃによって形成される。そして、既に述べたように、端部側光源２ａ及び下端周囲光源２ｄによって照射される光は、中央側光源２ｂ及び下端中心光源２ｃによって照射される光よりも狭い範囲に集中し、かつ遠方に到達する。従って、発光領域７ａ，８ａ及び発光領域９ａは発光領域７ｂ，８ｂ及び発光領域９ｂよりも明るく、かつ遠方まで形成される。すなわち、水中集魚灯１では、筐体３ａの両端の近傍から端部側光源２ａにより強い光が狭い範囲に集中して遠方まで照射されるとともに、それよりも弱い光が中央側光源２ｂにより筐体３ａの略中央部から近辺に拡散するように照射される。また、筐体３ａの下方に向けて下端周囲光源２ｄにより強い光が狭い範囲に集中して遠方へ照射されるとともに、それよりも弱い光が下端中心光源２ｃにより筐体３ａの下端の近辺に拡散するように照射される。
【００２６】
このような発光領域７ａ，７ｂ、発光領域８ａ，８ｂ及び発光領域９ａ，９ｂが形成されると、水中に光の濃淡部が生じることになる。そして、底生動物等の餌料生物は「光の濃部」である発光領域７ａ，７ｂ、発光領域８ａ，８ｂ及び発光領域９ａ，９ｂに誘引され、小型の魚類は餌料生物を摂餌するために「光の濃部」に蝟集する。また、大型の魚類は、これらの小型の魚類を捕食する機会を窺うように、「光の濃部」の周囲に形成される「光の淡部」に滞留する。すなわち、水中集魚灯１によれば、図３及び図４に領域１０ａ〜１０ｄ、領域１１ａ〜１１ｄ及び領域１２ａ〜１２ｄとして示すように、大型の魚類が潜伏可能な「光の淡部」を筐体３ａの周辺に数多く形成することができる。
【００２７】
次に、発光領域７ａ，７ｂと発光領域８ａ，８ｂの水深方向の分布状態について図５及び図６を用いて説明する。
図５及び図６は水中集魚灯１の側面の発光状態を上面から見た場合の概念図である。なお、図５（ａ）は発光部１３ａの発光状態を上面から見た場合を示し、図５（ｂ）は発光部１３ｂの発光状態を上面から見た場合を示している。また、図６は図５（ａ）と図５（ｂ）を重ねて表示したものである。さらに、図１乃至図４に示した構成要素については同一の符号を付して、その説明を省略する。
図５（ａ）及び図５（ｂ）に示すように、筐体３ａの周方向に対して設置される３個の発光部１３ａ，１３ｂ（図１参照）から放射される光は互いに干渉されることなく、周方向に対して均等に１５°の指向角度をもって発光領域７ａ，８ａを形成し、９０°の指向角度をもって発光領域７ｂ，８ｂを形成する。このとき、前述したように発光領域７ａ，７ｂ及び発光領域８ａ，８ｂが「光の濃部」となり、その周囲の領域が「光の淡部」となる。すなわち、水中集魚灯１では、３組の発光部１３ａ，１３ｂによって筐体３ａの周方向にそれぞれ３対の「光の濃淡部」が形成される。なお、「光の淡部」のうち、「光の濃部」との境目に近い領域１０ａ〜１０ｄ及び領域１１ａ〜１１ｄは、大型魚類の潜伏可能な領域となる。
【００２８】
ここで、発光領域７ａ，７ｂ及び発光領域８ａ，８ｂと、領域１０ａ〜１０ｄ及び領域１１ａ〜１１ｄについて水深方向の分布状態を見ると、図６に示すように、発光領域７ａ，８ａ、領域１０ａ〜１０ｃ及び領域１１ａ〜１１ｃは水深方向に重ならないように形成される。一方、発光領域７ｂ，８ｂ及び領域１０ｄ，１１ｄは少なくとも一部が重ならないように形成される。すなわち、発光部１３ａによって形成される「光の濃部」に対して、発光部１３ｂによって形成される「光の淡部」が重なり、発光部１３ａによって形成される「光の淡部」に対して、発光部１３ｂによって形成される「光の濃部」が重なることになる。このように、水中集魚灯１においては、水平方向のみならず水深方向に対しても「光の濃部」と「光の淡部」が規則的に形成されるという作用を有する。
【００２９】
次に、端部側光源２ａ及び中央側光源２ｂを点灯させるタイミングについて図７乃至図１１を用いて説明する。
図７乃至図１１は水中集魚灯１を点灯させるタイミングを示したタイミングチャートである。これらの図では、筐体３ａ内で周方向に設置される３組の発光部１３ａ，１３ｂに設置される端部側光源２ａ及び中央側光源２ｂのうち、発光部１３ａに設置される端部側光源２ａ及び中央側光源２ｂをそれぞれＵ０１〜Ｕ０３及びＭＵ１〜ＭＵ３と表し，発光部１３ｂに設置される端部側光源２ａ及び中央側光源２ｂをそれぞれＬ０１〜Ｌ０３及びＭＬ１〜ＭＬ３と表している。また、タイミングチャートのハイレベルとローレベルは、これらの光源が点灯した状態と消灯した状態をそれぞれ示している。なお、これらの図は端部側光源２ａ及び中央側光源２ｂを点灯させるタイミングの一部を示しており、実際には図に示されたパターンが所定の時間繰り返される。
【００３０】
前述したように、端部側光源２ａ及び中央側光源２ｂの発光状態は制御部によって制御されている。従って、端部側光源２ａ及び中央側光源２ｂは発光強度を調整できる他、点灯した状態と消灯した状態を繰り返すことで周期的に点滅させることができる。例えば、イカ漁においては、光源を周期的に点滅させることにより、イカの運動機能が一時的に低下することが知られているが、水中集魚灯１を用いれば、そのイカの習性をうまく利用することができる。すなわち、水中集魚灯１において、まず、端部側光源２ａ及び中央側光源２ｂを点灯状態として筐体３ａの周囲にイカの群れを誘引し、次に、図７（ａ）に示すように端部側光源２ａ及び中央側光源２ｂを点滅させるのである。これにより、イカの動きが緩慢となる。従って、釣果の向上が期待できる。
【００３１】
図７（ａ）では、すべての端部側光源２ａ及び中央側光源２ｂを同じタイミングで点滅させているが、各光源の一部のみを点滅させたり、点滅させるタイミングをずらしたりすることもできる。例えば、図７（ｂ）又は図７（ｃ）に示すように、タイミングを順番にずらしながらＵ０１〜Ｕ０３を点滅させると、発光領域７ａが筐体３ａを中心として周方向に回転するように形成され、図７（ｄ）又は図８（ａ）に示すように、タイミングを順番にずらしながらＬ０１〜Ｌ０３を点滅させると、発光領域７ｂが筐体３ａを中心として周方向に回転するように形成される。また、図８（ｂ）乃至図９（ａ）に示すように、タイミングを順番にずらしながらＵ０１〜Ｕ０３及びＬ０１〜Ｌ０３を点滅させると、発光領域７ａ，７ｂが筐体３ａを中心として周方向に回転するように形成される。なお、図８（ｄ）の場合には図８（ｂ）の場合よりも発光領域７ａ，７ｂが遅く回転し、図９（ａ）の場合には図８（ｃ）の場合よりも発光領域７ａ，７ｂが遅く回転する。
【００３２】
図９（ｂ）又は図９（ｃ）に示すように、タイミングを順番にずらしながらＭＵ１〜ＭＵ３及びＭＬ１〜ＭＬ３を点滅させると、発光領域８ａ，８ｂが筐体３ａを中心として周方向に回転するように形成される。また、図９（ｄ）乃至図１１（ａ）に示すように、タイミングを順番にずらしながらＵ０１〜Ｕ０３、Ｌ０１〜Ｌ０３、ＭＵ１〜ＭＵ３及びＭＬ１〜ＭＬ３を点滅させると、発光領域７ａ，７ｂ及び発光領域８ａ，８ｂが筐体３ａを中心として周方向に回転するように形成される。なお、端部側光源２ａ及び中央側光源２ｂは必ずしも、発光領域７ａ，７ｂや発光領域８ａ，８ｂが筐体３ａを中心として周方向に回転するように、点滅させなくとも良い。例えば、図１１（ｂ）又は図１１（ｃ）に示すように、Ｕ０１〜Ｕ０３及びＬ０１〜Ｌ０３と、ＭＵ１〜ＭＵ３及びＭＬ１〜ＭＬ３をそれぞれ順不同に点灯させても良い。
【００３３】
以上説明したように、本発明の水中集魚灯によれば、水平方向に加えて水深方向に対しても「光の濃部」と「光の淡部」が規則的に形成されることから、「光の濃部」に誘引される底生動物等の餌料生物及びそれを摂餌する小型の魚類や、「光の淡部」に身を潜めて小型の魚類を捕食する大型の魚類等の習性を利用して、水中集魚灯の周囲にまんべんなく各種の魚類を蝟集及び滞留させることが可能である。また、筐体の周囲を回転するように発光領域を形成することで、「光の濃部」と「光の淡部」に蝟集した魚類を水中集魚灯の周囲に略均一に分布させることができる。これにより、漁獲量や釣果が向上する。
【００３４】
なお、本発明の水中集魚灯の構成は、本実施例に示した場合に限定されるものではない。例えば、筐体３ａは必ずしも円筒状でなくとも良く、中空の角柱状や角錐状、あるいは中空の球状や多面体状であっても良い。また、筐体３ａ，３ｂは個別である必要は無く、一体的な構造とすることもできる。さらに、本実施例では、端部側光源２ａ，中央側光源２ｂ及び下端中心光源２ｃ，下端周囲光源２ｄへの電力の供給を、筐体３ａ，３ｂ等とは別個に設けたバッテリからケーブルを介して行っているが、このような方法に限らず、例えば、バッテリが筐体３ａ，３ｂ等に収納された構造であっても良い。また、端部側光源２ａ，中央側光源２ｂ及び下端中心光源２ｃ，下端周囲光源２ｄを構成する光源は、指向性を有するものであれば、特にＬＥＤに限定されない。さらに、端部側光源２ａ，中央側光源２ｂ及び下端中心光源２ｃ，下端周囲光源２ｄを構成する光源の数は、図１等に示した場合に限定されるものではなく、適宜変更可能である。また、端部側光源２ａ，中央側光源２ｂ及び下端中心光源２ｃ，下端周囲光源２ｄの指向角度も本実施例に示した場合に限定されない。ただし、筐体３ａの周方向に対してｎ個（≧２）の発光部が設置される場合、筐体３ａの周方向にｎ対の「光の濃淡部」が形成されるように、発光部には３６０／ｎ［°］よりも小さい指向角度を有する光源を用いることが望ましい。
【産業上の利用可能性】
【００３５】
本発明の請求項１乃至請求項５に記載された発明は、定置網漁や刺網漁等のように漁船を用いて集団で行う漁法に対して適用可能である他、観光やレジャー等で個々人が行う釣り漁等に対しても適用可能である。
【符号の説明】
【００３６】
１…水中集魚灯  ２ａ…端部側光源  ２ｂ…中央側光源  ２ｃ…下端中心光源  ２ｄ…下端周囲光源  ３ａ，３ｂ…筐体  ３ｃ…環状体  ４ａ〜４ｃ…基板  ５…ケーブル  ６ａ…砲弾型ＬＥＤ  ６ｂ…表面実装型ＬＥＤ  ７ａ，７ｂ…発光領域  ８ａ，８ｂ…発光領域  ９ａ，９ｂ…発光領域  １０ａ〜１０ｄ…領域  １１ａ〜１１ｄ…領域  １２ａ〜１２ｄ…領域  １３ａ，１３ｂ…発光部  １３ｃ…下端発光部
【図１】
0005666191.tif 000002
【図２】
0005666191.tif 000003
【図３】
0005666191.tif 000004
【図４】
0005666191.tif 000005
【図５】
0005666191.tif 000006
【図６】
0005666191.tif 000007
【図７】
0005666191.tif 000008
【図８】
0005666191.tif 000009
【図９】
0005666191.tif 000010
【図１０】
0005666191.tif 000011
【図１１】
0005666191.tif 000012